【手続補正書】
【提出日】平成28年3月3日(2016.3.3)
【手続補正１】
【補正対象書類名】特許請求の範囲
【補正対象項目名】全文
【補正方法】変更
【補正の内容】
【特許請求の範囲】
【請求項１】
行列状に配置された複数の画素を有するセンサと、
放射線撮影装置の内部に流れる電流であって、前記放射線撮影装置に放射線が照射されると値が変化する電流に基づいて、前記放射線撮影装置に放射線が照射されたことを検出する検出手段と、
前記センサを１つまたは複数の行ごとに選択し、当該選択した前記センサに接続された走査線に選択信号を与えて、当該選択した前記センサを一定期間オンする走査を行い、前記検出手段により前記放射線撮影装置に放射線が照射されたことが検出されると、前記走査を停止する走査手段と、
前記検出手段により前記放射線撮影装置に放射線が照射されたことが検出されると、前記センサへの選択信号をオフにして前記センサに電荷を蓄積させ、前記センサをオンにして前記電荷を読み出すことにより放射線画像を生成する放射線画像生成手段と、
前記走査を停止した位置と、前記検出手段により前記放射線撮影装置に放射線が照射されたことが検出されたときの前記電流と、に基づいて得られる情報であって、前記放射線画像を補正するための補正情報と、前記放射線画像とを送信する送信手段と、を有し、
前記送信手段は、前記放射線画像の送信を開始するよりも前に、前記補正情報の送信を開始することを特徴とする放射線撮影装置。
【請求項２】
前記送信手段は、前記補正情報の送信が完了してから、前記放射線画像の送信を開始することを特徴とする請求項１に記載の放射線撮影装置。
【請求項３】
前記補正情報は、前記放射線の照射により前記センサで発生する電荷の流出により値が変化する電流に基づく情報と、前記走査を停止したときに選択されていた行に配置された前記走査線の位置を示す走査線位置情報と、を含むことを特徴とする請求項１または２に記載の放射線撮影装置。
【請求項４】
前記送信手段は、前記補正情報の送信を、前記電荷を蓄積している期間に行うことを特徴とする請求項１〜３の何れか１項に記載の放射線撮影装置。
【請求項５】
前記放射線画像生成手段により前記放射線画像が生成された後に、前記放射線の照射のない状態で前記走査を模擬した走査を行って暗電流に基づく画像である暗電流画像を生成する暗電流画像生成手段と、
前記暗電流画像生成手段により生成された暗電流画像に基づいて前記放射線画像生成手段により生成された放射線画像に対してオフセット補正を行うオフセット補正手段と、を有し、
前記送信手段は、
前記オフセット補正手段によりオフセット補正が行われた前記放射線画像を送信し、
前記補正情報の送信を、前記走査の模擬が行われている期間に行うことを特徴とする請求項１〜３の何れか１項に記載の放射線撮影装置。
【請求項６】
前記放射線画像のプレビュー画像を生成して表示装置に表示するプレビュー処理手段を有し、
前記送信手段は、前記放射線画像を、当該放射線画像の画素の位置に応じて分割した複数の分割画像として順次送信し、
前記プレビュー処理手段は、前記複数の分割画像の一部に基づいてプレビュー画像を生成して表示装置に表示することを特徴とする請求項１〜５の何れか１項に記載の放射線撮影装置。
【請求項７】
前記プレビュー処理手段は、受信した前記分割画像の数に応じて精細度の異なるプレビュー画像を生成して表示装置に表示することを特徴とする請求項６に記載の放射線撮影装置。
【請求項８】
前記送信手段は、前記放射線画像の送信に使用する通信プロトコルよりも、送信効率が低く且つ信頼性が高い通信プロトコルを用いて前記補正情報を送信することを特徴とする請求項１〜７の何れか１項に記載の放射線撮影装置。
【請求項９】
放射線センサと、
前記放射線センサを流れる電流に基づいて放射線が照射されたことを検出する検出回路と、
前記検出回路が検出したことに応じて前記放射線センサを制御し放射線撮影を実行させる制御手段と、
少なくとも前記放射線が照射されたことが検出された前後のタイミングにおける前記放射線センサを流れる電流の情報を外部の装置に送信するとともに、該送信の後に前記放射線撮影により得られる放射線画像を外部の装置に送信する通信回路と、を有することを特徴とする放射線撮影装置。
【請求項１０】
行列状に配置された複数の画素を有するセンサと、を有する放射線撮影装置であって、
前記放射線撮影装置に放射線が照射されたことを検出する検出手段と、
前記センサを１つまたは複数の行ごとに選択し、当該選択した前記センサに接続された走査線に選択信号を与えて、当該選択した複数の画素を一定期間オンする走査を行い、前記検出手段により前記放射線撮影装置に放射線が照射されたことが検出されると、前記走査を停止する走査手段と、
前記検出手段により前記放射線撮影装置に放射線が照射されたことが検出されると、前記センサへの選択信号をオフにして前記センサに電荷を蓄積させ、前記センサをオンにして前記電荷を読み出すことにより放射線画像を生成する放射線画像生成手段と、
前記走査を停止した走査線の位置に基づく情報と前記放射線画像とを送信する送信手段と、を有し、
前記送信手段は、前記放射線画像の送信を開始するよりも前に、前記走査を停止した走査線の位置に基づく情報の送信を開始することを特徴とする放射線撮影装置。
【請求項１１】
請求項１〜９の何れか１項に記載の放射線撮影装置と、
前記送信手段により送信された前記補正情報を用いて、前記送信手段により送信された前記放射線画像を補正する画像補正手段を有する画像処理装置と、を有することを特徴とする放射線撮影システム。
【請求項１２】
前記画像処理装置は、前記放射線画像を受信する前に、前記送信手段により送信された前記補正情報に対する処理を行う処理手段を有することを特徴とする請求項１１に記載の放射線撮影システム。
【請求項１３】
前記画像処理装置は、前記放射線画像または前記補正情報を所定の時間内に受信できない場合、そのことに関わる情報を報知する報知手段を有することを特徴とする請求項１１または１２に記載の放射線撮影システム。
【請求項１４】
放射線撮影装置の内部に流れる電流であって、前記放射線撮影装置に放射線が照射されると値が変化する電流に基づいて、前記放射線撮影装置に放射線が照射されたことを検出する検出工程と、
行列状に配置された複数の画素を有するセンサを１つまたは複数の行ごとに選択し、当該選択した前記センサに接続された走査線に選択信号を与えて、当該選択した前記センサを一定期間オンする走査を行い、前記検出工程により前記放射線撮影装置に放射線が照射されたことが検出されると、前記走査を停止する走査工程と、
前記検出工程により前記放射線撮影装置に放射線が照射されたことが検出されると、前記センサへの選択信号をオフにして前記センサに電荷を蓄積させ、前記センサをオンにして前記電荷を読み出すことにより放射線画像を生成する放射線画像生成工程と、
前記走査を停止した位置と、前記検出工程により前記放射線撮影装置に放射線が照射されたことが検出されたときの前記電流と、に基づいて得られる情報であって、前記放射線画像を補正するための補正情報と、前記放射線画像とを送信する送信工程と、を有し、
前記送信工程は、前記放射線画像の送信を開始するよりも前に、前記補正情報の送信を開始することを特徴とする放射線撮影装置の制御方法。
【請求項１５】
放射線センサを流れる電流に基づいて放射線が照射されたことを検出する検出工程と、
前記検出工程により放射線が照射されたことが検出したことに応じて前記放射線センサを制御し放射線撮影を実行させる制御工程と、
少なくとも前記放射線が照射されたことが検出された前後のタイミングにおける前記放射線センサを流れる電流の情報を外部の装置に送信するとともに、該送信の後に前記放射線撮影により得られる放射線画像を外部の装置に送信する通信工程と、を有することを特徴とする放射線撮影装置の制御方法。
【請求項１６】
放射線撮影装置に放射線が照射されたことを検出する検出工程と、
行列状に配置された複数の画素を有するセンサを１つまたは複数の行ごとに選択し、当該選択した前記センサに接続された走査線に選択信号を与えて、当該選択した複数の画素を一定期間オンする走査を行い、前記検出工程により前記放射線撮影装置に放射線が照射されたことが検出されると、前記走査を停止する走査工程と、
前記検出工程により前記放射線撮影装置に放射線が照射されたことが検出されると、前記センサへの選択信号をオフにして前記センサに電荷を蓄積させ、前記センサをオンにして前記電荷を読み出すことにより放射線画像を生成する放射線画像生成工程と、
前記走査を停止した走査線の位置に基づく情報と前記放射線画像とを送信する送信工程と、を有し、
前記送信工程は、前記放射線画像の送信を開始するよりも前に、前記走査を停止した走査線の位置に基づく情報の送信を開始することを特徴とする放射線撮影装置の制御方法。
【請求項１７】
請求項１〜１０の何れか１項に記載の放射線撮影装置の各手段としてコンピュータを機能させることを特徴とするコンピュータプログラム。
【手続補正２】
【補正対象書類名】明細書
【補正対象項目名】０００７
【補正方法】変更
【補正の内容】
【０００７】
本発明の放射線撮影装置の第１の例は、行列状に配置された複数の画素を有するセンサと、放射線撮影装置の内部に流れる電流であって、前記放射線撮影装置に放射線が照射されると値が変化する電流に基づいて、前記放射線撮影装置に放射線が照射されたことを検出する検出手段と、前記センサを１つまたは複数の行ごとに選択し、当該選択した前記センサに接続された走査線に選択信号を与えて、当該選択した前記センサを一定期間オンする走査を行い、前記検出手段により前記放射線撮影装置に放射線が照射されたことが検出されると、前記走査を停止する走査手段と、前記検出手段により前記放射線撮影装置に放射線が照射されたことが検出されると、前記センサへの選択信号をオフにして前記センサに電荷を蓄積させ、前記センサをオンにして前記電荷を読み出すことにより放射線画像を生成する放射線画像生成手段と、前記走査を停止した位置と、前記検出手段により前記放射線撮影装置に放射線が照射されたことが検出されたときの前記電流と、に基づいて得られる情報であって、前記放射線画像を補正するための補正情報と、前記放射線画像とを送信する送信手段と、を有し、前記送信手段は、前記放射線画像の送信を開始するよりも前に、前記補正情報の送信を開始することを特徴とする。
本発明の放射線撮影装置の第２の例は、放射線センサと、前記放射線センサを流れる電流に基づいて放射線が照射されたことを検出する検出回路と、前記検出回路が検出したことに応じて前記放射線センサを制御し放射線撮影を実行させる制御手段と、少なくとも前記放射線が照射されたことが検出された前後のタイミングにおける前記放射線センサを流れる電流の情報を外部の装置に送信するとともに、該送信の後に前記放射線撮影により得られる放射線画像を外部の装置に送信する通信回路と、を有することを特徴とする。
本発明の放射線撮影装置の第３の例は、行列状に配置された複数の画素を有するセンサと、を有する放射線撮影装置であって、前記放射線撮影装置に放射線が照射されたことを検出する検出手段と、前記センサを１つまたは複数の行ごとに選択し、当該選択した前記センサに接続された走査線に選択信号を与えて、当該選択した複数の画素を一定期間オンする走査を行い、前記検出手段により前記放射線撮影装置に放射線が照射されたことが検出されると、前記走査を停止する走査手段と、前記検出手段により前記放射線撮影装置に放射線が照射されたことが検出されると、前記センサへの選択信号をオフにして前記センサに電荷を蓄積させ、前記センサをオンにして前記電荷を読み出すことにより放射線画像を生成する放射線画像生成手段と、前記走査を停止した走査線の位置に基づく情報と前記放射線画像とを送信する送信手段と、を有し、前記送信手段は、前記放射線画像の送信を開始するよりも前に、前記走査を停止した走査線の位置に基づく情報の送信を開始することを特徴とする。